(57)【要約】【課題】支持バーに対するタインの支持部分に穀稈が引っ掛かったりするのを効率的に防止可能な全稈投入型コンバインを提供する。【解決手段】掻き込みリール２０に、左右のリールフレーム３７と、左右のリールフレーム３７に亘って設けられた支持バー３９と、支持バー３９に取り付けられたタイン４０と、支持バー３９に対するタイン４０の支持部分４３を覆うハンプカバー４１と、が備えられ、タイン４０がハンプカバー４１を貫通するように構成されている。【選択図】図３
2014180226.tif 000002
【特許請求の範囲】
【請求項１】
掻き込みリールによって植立穀稈を掻き込みながら刈取作業を行う全稈投入型コンバインであって、
前記掻き込みリールに、
左右のリールフレームと、
前記左右のリールフレームに亘って設けられた支持バーと、
前記支持バーに取り付けられたタインと、
前記支持バーに対する前記タインの支持部分を覆うカバーと、が備えられ、
前記タインが、前記カバーを貫通している全稈投入型コンバイン。
【請求項２】
前記カバーに、貫通孔又は切れ目が形成され、
前記貫通孔又は前記切れ目に、前記タインが貫通されている請求項１に記載の全稈投入型コンバイン。
【請求項３】
前記貫通孔又は前記切れ目が複数形成され、
前記貫通孔又は前記切れ目の夫々に、前記タインが夫々貫通されている請求項２に記載の全稈投入型コンバイン。
【請求項４】
前記カバーによって、前記支持部分の後方側が覆われている請求項１乃至３の何れか一項に記載の全稈投入型コンバイン。
【請求項５】
前記タインには、前記タインの先端部分から前記支持部分へ向かう中途部位に、弦巻状のバネ部が備えられ、
前記カバーによって、前記バネ部が覆われている請求項１乃至４の何れか一項に記載の全稈投入型コンバイン。
【請求項６】
前記タインが、前記バネ部よりも下方位置で、前記カバーを貫通している請求項５に記載の全稈投入型コンバイン。
【請求項７】
前記タインが、前記支持バーの長手方向に間隔を空けて前記支持バーに複数並べて取り付けられ、
前記カバーによって、２つ以上の前記タインの前記支持部分が覆われている請求項１乃至６の何れか一項に記載の全稈投入型コンバイン。
【請求項８】
前記タインが、前記支持バーの長手方向に間隔を空けて前記支持バーに複数並べて取り付けられ、
単一の前記カバーによって、全ての前記タインの前記支持部分が覆われている請求項１乃至７の何れか一項に記載の全稈投入型コンバイン。
【請求項９】
前記カバーが、前記支持バーの長手方向において前記タインとは異なる位置で前記支持バーに取り付けられている請求項１乃至８の何れか一項に記載の全稈投入型コンバイン。
【請求項１０】
前記支持バーとして、不等間隔の第一配列で前記タインが複数並べて取り付けられている第一バーと、前記第一配列とは逆並びの第二配列で前記タインが複数並べて取り付けられている第二バーと、が備えられている請求項１乃至９の何れか一項に記載の全稈投入型コンバイン。
【発明の詳細な説明】
【技術分野】
【０００１】
本発明は、掻き込みリールによって植立穀稈を掻き込みながら刈取作業を行う全稈投入型コンバインに関する。
【背景技術】
【０００２】
従来の全稈投入型コンバインの一例が例えば特許文献１に記載されている。特許文献１に示された全稈投入型コンバインには、掻き込みリールに、左右のリールフレームと、左右のリールフレームに亘って設けられた支持バーと、支持バーに取り付けられたタインと、が備えられている。このような全稈投入型コンバインでは、刈取作業の際、掻き込みリールを回転させると、支持バーに取り付けられたタインが、圃場に植えられた穀稈を引き起こして機体後方側へ掻き込むように構成されている。
【先行技術文献】
【特許文献】
【０００３】
【特許文献１】特開２０１１−１７２５３５号公報
【発明の概要】
【発明が解決しようとする課題】
【０００４】
しかしながら、上記従来の全稈投入型コンバインでは、刈取作業中に、特に、支持バーに対するタインの支持部分に植立穀稈が引っ掛かって引きちぎられたり、また、上記支持部分に刈取穀稈が引っ掛かったり絡み付いたりして連れ回りし、正常に刈取られた刈取穀稈の搬送を阻害して搬送効率が低下したりする虞がある。
【０００５】
このような実情に鑑み、支持バーに対するタインの支持部分に穀稈が引っ掛かったりするのを効率的に防止可能な全稈投入型コンバインの提供が望まれていた。
【課題を解決するための手段】
【０００６】
本発明に係る全稈投入型コンバインは、掻き込みリールによって植立穀稈を掻き込みながら刈取作業を行う全稈投入型コンバインであって、
前記掻き込みリールに、
左右のリールフレームと、
前記左右のリールフレームに亘って設けられた支持バーと、
前記支持バーに取り付けられたタインと、
前記支持バーに対する前記タインの支持部分を覆うカバーと、が備えられ、
前記タインが、前記カバーを貫通しているものである。
【０００７】
本発明によれば、支持バーに対するタインの支持部分をカバーで覆っているので、カバーによって、穀稈がタインの支持部分に接触するのを防止することができる。しかも、タインがカバーを貫通しているので、カバーがある程度しっかりと位置決めされている。このように、本発明であると、カバーによって、タインの支持部分を安定した状態でしっかりと覆うことができる。したがって、本発明によれば、穀稈がタインの支持部分に引っ掛かったり、からまったりするのを効率よく防止できる。
【０００８】
上記構成において、前記カバーに、貫通孔又は切れ目が形成され、
前記貫通孔又は前記切れ目に、前記タインが貫通されていると好適である。
【０００９】
本構成によれば、カバーに貫通孔又は切れ目を形成するという簡単な構成で、タインに対するカバーの位置決めを容易に行うことができる。
【００１０】
上記構成において、前記貫通孔又は前記切れ目が複数形成され、
前記貫通孔又は前記切れ目の夫々に、前記タインが夫々貫通されていると好適である。
【００１１】
本構成によれば、１つのカバーに、貫通孔又は切れ目が複数形成されており、かつ、それらの貫通孔又は切れ目に対してタインが貫通されている。つまり、カバーを、複数のタインによって、安定した状態でしっかりと支持することが可能となる。
【００１２】
上記構成において、前記カバーによって、前記支持部分の後方側が覆われていると好適である。
【００１３】
刈取作業の際は、特にタインの後方側の部位が植立穀稈に作用するので、タインの後方側の部位には、穀稈が特に引っ掛かりやすい。本構成によれば、タインの支持部分の後方側をカバーによって覆っているので、穀稈がタインの支持部分に引っ掛かったりするのを確実に防止できる。
【００１４】
上記構成において、前記タインには、前記タインの先端部分から前記支持部分へ向かう中途部位に、弦巻状のバネ部が備えられ、
前記カバーによって、前記バネ部が覆われていると好適である。
【００１５】
本構成によれば、タインの先端部分から支持部分へ向かう中途部位に、弦巻状のバネ部が備えられていると、タインへの衝撃が弦巻状のバネ部で吸収されるので、タインの破損が防止される。しかし、その一方で、弦巻状のバネ部に穀稈が噛み込みやすくなる虞がある。本構成であると、カバーによってバネ部が覆われているので、穀稈がバネ部に引っ掛かったりするのを未然に防止できる。
【００１６】
上記構成において、前記タインが、前記バネ部よりも下方位置で、前記カバーを貫通していると好適である。
【００１７】
一般的にタインは、下後方への移動時に植立穀稈を後方へ掻き込むので、穀稈は、タインに対して後方からだけでなく、下方からも接触する。即ち、穀稈は、バネ部にも後方かつ下方から接触する。本構成を採用すると、カバーはバネ部を下方から覆うことになるので、バネ部への穀稈の引っ掛かりをさらに防止することができる。
【００１８】
上記構成において、前記タインが、前記支持バーの長手方向に間隔を空けて前記支持バーに複数並べて取り付けられ、
前記カバーによって、２つ以上の前記タインの前記支持部分が覆われていると好適である。
【００１９】
本構成によれば、１つのタインの支持部分を１つのカバーで覆う場合に比べて、支持バーに使用されるカバーの個数を削減可能となり、製造コストを低減できる。
【００２０】
上記構成において、前記タインが、前記支持バーの長手方向に間隔を空けて前記支持バーに複数並べて取り付けられ、
単一の前記カバーによって、全ての前記タインの前記支持部分が覆われていると好適である。
【００２１】
本構成によれば、１つの支持バーに対するカバーの個数が１つとなる。よって、１つの支持バーに複数のカバーを使用する場合に比べて、掻き込みリールに使用されるカバーの個数を削減可能となり、製造コストを低減できる。
【００２２】
上記構成において、前記カバーが、前記支持バーの長手方向において前記タインとは異なる位置で前記支持バーに取り付けられていると好適である。
【００２３】
本構成によれば、カバーは、タインだけでなく、支持バーにも支持されていることになり、カバーはしっかりと支持される。また、本構成によると、カバーは、支持バーの長手方向においてタインとは異なる位置で支持バーに取り付けられている。したがって、カバーの支持バーへの取付時に、タインが邪魔になりにくい。
【００２４】
上記構成において、前記支持バーとして、不等間隔の第一配列で前記タインが複数並べて取り付けられている第一バーと、前記第一配列とは逆並びの第二配列で前記タインが複数並べて取り付けられている第二バーと、が備えられていると好適である。
【００２５】
本構成によれば、第一バーにおけるタインの第一配列と、第二バーにおけるタインの第二配列とが逆並びであるので、第一バーに装着されるタインの支持部分を覆うカバーは、左右反対方向向けにして使用すれば、第二バーにも装着できる。つまり、第一バーと第二バーとで同じ構造のカバーを兼用できる。したがって、本構成を採用すると、全ての支持バーに夫々専用のカバーを装着する場合と比較して、カバーの種類を少なくでき、コストを軽減することが可能である。
【図面の簡単な説明】
【００２６】
【図１】全稈投入型コンバインの全体側面図である。
【図２】全稈投入型コンバインの全体平面図である。
【図３】掻き込みリールの正面図である。
【図４】掻き込みリールの左側面図である。
【図５】タイン及びカバーの取付状態を示す左側面断面図である。
【図６】図５とは異なる断面においてタイン及びカバーの取付状態を示す左側面断面図である。
【図７】タイン及びカバーの取付状態を示す正面図である。
【図８】カバーの全体を示す説明図である。
【図９】サイドデバイダの付近を示す左側面図である。
【図１０】サイドデバイダの付近を示す平面図である。
【図１１】別実施形態のカバーを示す説明図である。
【発明を実施するための形態】
【００２７】
以下、本発明の実施形態を図面に基づいて説明する。
［全稈投入型コンバインの基本構成］
図１、図２に示すように、全稈投入型コンバインには、左右一対のクローラ式走行装置１１と、クローラ式走行装置１１によって自走可能な走行機体１２と、走行機体１２の前部側に配置された刈取部１３と、走行機体１２における機体フレーム１４の後部側に設けられた脱穀部１５と、脱穀部１５の横側に配置された穀粒貯留部１６と、穀粒貯留部１６の前方に配備された運転操縦部１７と、が備えられている。
【００２８】
刈取部１３は、横向きの第一支点Ｘ１周りに上下揺動自在で、脱穀部１５の前部に連結されたフィーダ１８に連結されている。刈取部１３には、掻き込みリール２０と、左右一対の刈取フレーム１９と、刈刃装置２１と、オーガ２２と、が備えられている。
【００２９】
刈刃装置２１には、走行機体１２の横幅に略等しい刈幅を有するバリカン型の刈刃が左右の刈取フレーム１９に亘って備えられている。オーガ２２は、刈刃装置２１の後方に配置され、刈刃装置２１によって刈り取った刈取穀稈を刈幅の左右中央側に寄せてフィーダ１８へ送り込むように構成されている。オーガ２２には、送り込み用の螺旋羽根２３と、螺旋羽根２３により横送りされた刈取穀稈をフィーダ１８の始端に送り込むフィンガー２４と、が備えられている。
【００３０】
フィーダ１８には、刈取穀稈を後方側へ掻き揚げ搬送して脱穀部１５の前端部へ投入供給する搬送コンベア２８が備えられている。搬送コンベア２８には、縦回りに巻回された左右のチェーン２９と、左右のチェーン２９に亘って横掛されてチェーン２９に立設された搬送バー３０と、が備えられている。オーガ２２のフィンガー２４で刈取穀稈が搬送コンベア２８に送り込まれ、搬送コンベア２８により刈取穀稈は脱穀部１５へ搬送されて投入される。
【００３１】
機体フレーム１４の前部とフィーダ１８の下部との間には油圧シリンダ３１が架設されている。刈取部１３は、油圧シリンダ３１の伸縮動によってフィーダ１８と一体に第一支点Ｘ１周りに揺動昇降されるようになっている。刈取部１３の前部の上方には、圃場に植立した穀稈を後方に引き起こして掻き込む掻き込みリール２０が配置されている。全稈投入型コンバインは、この掻き込みリール２０によって圃場の植立穀稈を掻き込みながら刈取作業を行うように構成されている。
【００３２】
なお、この全稈投入型コンバインは、回り刈り等する際に未刈側が左側に位置するように、各構成が設定されている。
【００３３】
［掻き込みリール］
図１〜図４に示すように、掻き込みリール２０は、側面視四角形状であり、機体フレーム１４に固定された横向きの第二支点Ｘ２周りに上下揺動自在な左右一対のアーム３２の前部にブラケットを介して取り付けられている。アーム３２と、刈取フレーム１９との間には、油圧シリンダ３４が取り付けられ、油圧シリンダ３４の伸縮動によって、掻き込みリール２０は上下揺動する。掻き込みリール２０の横外側には、掻き込みリール２０を回転させる駆動機構３５が備えられている。駆動機構３５の横外側には、駆動機構３５を覆う駆動カバー３６が備えられている。
【００３４】
掻き込みリール２０には、左右のリールフレーム３７と、左右のリールフレーム３７に亘って設けられた４つの支持バー３９と、支持バー３９に取り付けられた複数のタイン４０と、が備えられている。４つの支持バー３９は、中空のパイプ状であり、左右のリールフレーム３７に亘って架設されている。４つの支持バー３９は、リールフレーム３７の周方向に均等な間隔を隔てて備えられている。
【００３５】
［タイン］
タイン４０は、線状の金属材料又は樹脂材料で構成されており、図３に示すように、オーガ２２のフィンガー２４を避ける位置となるように支持バー３９の長手方向に間隔を空けて支持バー３９に複数並べて取り付けられている。本実施形態では、１つの支持バー３９につき、９つの取付孔４２が形成されている。これに対応して、支持バー３９には、複数の取付孔４２が形成されている。図３〜図７に示すように、各タイン４０は、支持部分４３において支持バー３９に取り付け支持されている。支持部分４３は、タイン４０が支持バー３９に密接される部分である。タイン４０には、支持部分４３の一部として被取付部４０Ｂが形成されている。被取付部４０Ｂは、「Ｕ」字形状に形成されている。この「Ｕ」溝内にボルト４４等の締結部材を挿通させた状態で、取付孔４２にボルト４４を締め付け、ボルト４４の頭部と支持バー３９とで被取付部４０Ｂを挟持し、タイン４０を支持バー３９に支持固定している。
【００３６】
図５に示すように、タイン４０には、タイン４０の先端部分４０Ａから支持部分４３へ向かう中途部位に、弦巻状のバネ部４５が備えられている。バネ部４５の巻き数は例えば２回とされている。タイン４０には、バネ部４５よりも下方に屈曲部４６が備えられている。タイン４０は、屈曲部４６よりも下部分がエルボー状に後方に向けて屈曲されている。
【００３７】
［ハンプカバー］
図３〜図８に示すように、支持バー３９に対するタイン４０の支持部分４３を覆うハンプカバー４１（「カバー」に相当）が備えられている。ハンプカバー４１は、可撓性を有しており、支持バー３９の長手方向に沿った方向を長辺とする長方形状のシートとして形成され、１つの支持バー３９につき１つ備えられている。ハンプカバー４１は、支持バー３９の長手方向の略全長を覆う長さに形成されている。ハンプカバー４１には、タイン４０の断面形状に対応した円形状の貫通孔４７が複数形成されている。ハンプカバー４１のこれら貫通孔４７の夫々に、タイン４０が夫々貫通されている。つまり、１つの貫通孔４７に対して１つのタイン４０が貫通されている。本実施形態では、ハンプカバー４１に９つの貫通孔４７が形成されている。貫通孔４７の断面積は、タイン４０の断面積よりも大きく形成されており、貫通孔４７にタイン４０を通しやすい。
【００３８】
また、図３、図６〜図８に示すように、ハンプカバー４１には、複数の固定孔４８が形成されている。本実施形態では、ハンプカバー４１には、５つの固定孔４８が形成されている。左右両端の２つの固定孔４８は、ハンプカバー４１の長手方向において、左右両端の２つの貫通孔４７と同じ位置に形成されている。そして、それ以外の３つの固定孔４８は、ハンプカバー４１の長手方向において、貫通孔４７とは異なる位置（タイン４０とは異なる位置）に形成されており、具体的には、２つの貫通孔４７を挟む中間位置の中央部位に形成されている。
【００３９】
結束バンド４９等のような固定具によってハンプカバー４１を支持バー３９側に取り付け可能とするために、固定孔４８が、ハンプカバー４１に形成されている。固定孔４８を利用して結束バンド４９によりハンプカバー４１を支持バー３９側に取り付けるには、まず、結束バンド４９を固定孔４８に挿通する。そして、固定孔４８に結束バンド４９が挿通された状態で結束バンド４９を支持バー３９につき一周して巻きつけて締め付ける。これにより、ハンプカバー４１が固定孔４８の部位で支持バー３９に密着して固定される。このようにして、全ての固定孔４８について、結束バンド４９等の固定具による支持バー３９に対するハンプカバー４１の固定がなされている。
【００４０】
このように、単一のハンプカバー４１によって、全てのタイン４０の支持部分４３が覆われている。そして、タイン４０は、バネ部４５よりも下方位置で、ハンプカバー４１を貫通し、タイン４０への取付状態において、ハンプカバー４１は、貫通孔４７よりも下方の部位が、タイン４０の前側に位置する。つまり、ハンプカバー４１によって、タイン４０の支持部分４３の後方側と、バネ部４５の後方側及び下方側が覆われている。
【００４１】
ハンプカバー４１は、１つの支持バー３９につき１つずつ用いられるため、単一のハンプカバー４１によって、２つ以上のタイン４０の支持部分４３が覆われている。さらには、単一のハンプカバー４１によって、全てのタイン４０の支持部分４３が覆われている。
【００４２】
［支持バー］
そして、支持バー３９としては、不等間隔の第一配列でタイン４０が複数並べて取り付けられている第一バー５０と、第一配列とは逆並びの第二配列でタイン４０が複数並べて取り付けられている第二バー５１と、が備えられている。第一バー５０と、第二バー５１とは、リールフレーム３７の周方向に隣接して交互に配置されている。つまり、本実施形態の掻き込みリール２０には、２つの第一バー５０と、２つの第二バー５１との２種類からなる４つの支持バー３９が備えられている。ハンプカバー４１における貫通孔４７の配列は、第一配列に適合するようにされている。すなわち、ハンプカバー４１を左右反対に使用すれば、貫通孔４７の配列は、第一配列とは逆並びの第二配列に適合する。つまり、第一バー５０と第二バー５１とで、同一構造のハンプカバー４１を兼用できる。
【００４３】
［サイドデバイダ］
上述したが、図１、図９、図１０に示すように、掻き込みリール２０の駆動機構３５の左横外側には、駆動機構３５を覆う駆動カバー３６が備えられている。また、刈取フレーム１９の左横外側には、オーガ２２の駆動機構２２Ａを覆うサイドカバー２５が備えられている。機体左側の側面視において、駆動カバー３６とサイドカバー２５との間の空間Ｓは、第二支点Ｘ２に近づくほど狭くなっている。このため、刈取作業時において、未刈側の植立穀稈の穂先側がこの空間Ｓに倒れ込んで、駆動カバー３６とサイドカバー２５との間に詰まり、引きちぎられ、正当に刈取られた刈取穀稈の搬送を阻害する虞がある。
【００４４】
そこで、空間Ｓへの未刈側の植立穀稈の倒れ込みを防止するサイドデバイダ２６が備えられている。サイドデバイダ２６は、サイドカバー２５及び駆動カバー３６よりも機体外側に位置する状態で、刈取フレーム１９に固定され、空間Ｓを適度に塞いでいる。
【００４５】
サイドデバイダ２６には、後上方に向けて延びる棒状のガイド部材５２と、「Ｌ」の字形状に屈曲された棒状のＬ字部材５３と、が備えられている。ガイド部材５２は、下端部側が左側の刈取フレーム１９の前端部に連結されている。ガイド部材５２のうち、その下端部側から上端部側へ至る中途部位に、Ｌ字部材５３の一端部が連結されている。
【００４６】
ガイド部材５２は、少なくとも掻き込みリール２０が通常の刈取位置のときに、左側の刈取フレーム１９から空間Ｓを横切り、駆動カバー３６左横外側の位置に至るように延出されている。そして、ガイド部材５２は、下端部から上端部に向かうにつれて機体の左側の横外側へ離れるように傾斜している。
【００４７】
Ｌ字部材５３には、ガイド部材５２の中途部位に連結されて後方下がりの傾斜状態で後方へ延びる縦部位と、縦部位から機体内向きに屈曲されて、端部が機体フレーム１４の左側面に連結される横部位と、が備えられている。
【００４８】
このようなサイドデバイダ２６によると、刈取作業時に、機体左側に位置する未刈穀稈が、ガイド部材５２によって機体外側へ離れるように案内される。これにより、未刈穀稈の穂先が空間Ｓに入り込みにくくなる。したがって、刈取部１３における刈取穀稈の搬送乱れ等が生じることも軽減される。また、サイドデバイダ２６は、棒状のガイド部材５２とＬ字部材５３とを組み合わせた簡易な構造であるので、コストの増加を最少に抑えられると共に、運転操縦部１７から機体左側への操縦者の視界を妨げることもない。
【００４９】
［分草杆］
図１、図９、図１０に示すように、サイドカバー２５は、その最下部近傍が最も機体左横外側に膨出している。刈取作業中に、この膨出部２５Ａへ植立穀稈が衝突するのを防止する分草杆２７が、刈取フレーム１９に取り付けられている。分草杆２７は、刈取フレーム１９よりも機体外側へ植立穀稈を案内するものであり、分草杆２７には、連結部材５４と、案内部材５５と、が備えられている。連結部材５４は、水平状のプレートであり、左側の刈取フレーム１９の左側面における後部下側位置に内端部が接合されている。案内部材５５は、前後に長く形成された棒状の部材であり、連結部材５４の外端部に、その中途部位が連結されている。案内部材５５は、前部から後部へ向かうにつれて機体外側に位置するように構成されており、その後端部は、膨出部２５Ａの前端部近傍まで延びている。
【００５０】
このような分草杆２７によると、刈取作業を行う際に、案内部材５５によって未刈穀稈が膨出部２５Ａよりも機体外側へ案内される。これにより、膨出部２５Ａに未刈穀稈が衝突することが防止される。
【００５１】
［別実施形態］
（１）上記実施形態では、ハンプカバー４１に貫通孔４７が複数形成されている例を示したがこれに限られない。例えば、図１１に示すように、貫通孔４７の代わりに、ハンプカバー４１に横一文字状の切れ目５６が９つ形成されていてもよい。この場合、切れ目５６の夫々に、対応するタイン４０が夫々貫通されている。
【００５２】
このようにハンプカバー４１の切れ目５６にタイン４０を貫通させることにより、ハンプカバー４１の可撓性によってタイン４０が切れ目５６に保持される。このため、ハンプカバー４１をタイン４０に対して安定して位置保持できる。この際、切れ目５６の形状は、図１１に示したような横一文字状に限られず、縦一文字状、十字状等種々の形状であってよい。そして、切れ目５６がハンプカバー４１の端部には至らずにハンプカバー４１内で閉じられていると好適である。
【００５３】
また、特に図示はしないが、ハンプカバー４１に貫通孔４７と切れ目５６の両方が形成されており、貫通孔４７と切れ目５６の夫々に、対応するタイン４０が夫々貫通されていてもよい。
【００５４】
さらに、上記実施形態においては、貫通孔４７の断面積が、タイン４０の断面積よりも大きく形成されていたが、これに限られるものではない。例えば、貫通孔４７の断面積が、タイン４０の断面積よりも小さく形成されていても良く、この場合は、ハンプカバー４１の可撓性によって、タイン４０が貫通孔４７にしっかりと保持されやすくなる。
【００５５】
（２）上記実施形態では、ハンプカバー４１に貫通孔４７や切れ目５６が例えば９つ形成されている例を示したがこれに限られない。例えば、貫通孔４７や切れ目５６の個数は、１つ〜８つ、１０以上であってもよい。この際、貫通孔４７や切れ目５６の個数は、タイン４０の個数や取付孔４２の個数と同数又はそれ以上の個数が備えられていてよい。
【００５６】
（３）上記実施形態では、１つの貫通孔４７に１つのタイン４０が貫通されている例を示したがこれに限られない。例えば、１つの貫通孔４７に２つ以上のタイン４０が貫通されていてもよい。また、貫通孔４７の形状は、円形状に限られることはなく、長孔形状、繭形状、１つの孔の径方向に孔の径を超える切れ目が入った形状、２つの孔の径方向に連なる切れ目が入った形状等でもよい。
【００５７】
（４）上記実施形態では、ハンプカバー４１に固定孔４８が５つ形成されている例を示したがこれに限られない。例えば、固定孔４８の個数は、１つ〜４つ、６つ以上であってもよい。
【００５８】
（５）上記実施形態では、ハンプカバー４１に固定孔４８が形成されている例を示したが、これに限られない。特に固定孔４８が形成されていなくてもよく、例えば、ハンプカバー４１が支持バー３９に一周して巻き付けられてハンプカバー４１の上端部をハンプカバー４１の一部に接合されることにより、ハンプカバー４１が支持バー３９に支持されていてもよい。
【００５９】
（６）上記実施形態では、単一のハンプカバー４１によって、全てのタイン４０の支持部分４３が覆われている例を示したがこれに限られない。例えば、１つの支持バー３９につき、２以上の複数の分割カバーを支持バー３９の長手方向に並べて、全てのタイン４０の支持部分４３が覆われていてもよい。
【００６０】
（７）上記実施形態では、固定具として結束バンド４９を一例に示したが、これに限られず、単なる紐状部材を結ぶ形式の固定具であってもよい。この場合、固定孔４８に紐状部材を挿通させて、支持バー３９に一周して巻き付け、紐状部材の端部同士を結ぶことにより、ハンプカバー４１が支持バー３９側に固定される。
【００６１】
（８）上記実施形態では、バネ部４５の巻き数を一例として２回として説明したが、これに限られない。バネ部４５の巻き数は、１回や３回以上でもよい。また、タイン４０にバネ部４５が備えられていなくてもよい。
【００６２】
（９）上記実施形態では、支持バー３９として、第一配列でタイン４０が複数取り付けられている第一バー５０と、第一配列とは逆並びの第二配列でタイン４０が複数取り付けられている第二バー５１と、が備えられている例を示したがこれに限られない。即ち、例えば、掻き込みリール２０が側面視で四角形以外（五角形以上の多角形）の形状であり、支持バー３９が五本以上備えられているような場合に、例えば、支持バー３９として、第一バー５０や第二バー５１に加えて、第一バー５０及び第二バー５１とはタイン４０の配列が全く異なる別のバーが備えられていてもよい。また、支持バー３９として、不等間隔の第一配列でタイン４０が複数並べて取り付けられている第一バー５０のみが複数備えられていてもよい。また、支持バー３９として、等間隔の配列でタイン４０が複数並べて取り付けられている別のバーが備えられていてもよい。これらの場合は、支持バー３９の種類に応じたハンプカバー４１を備えればよい。
【００６３】
（１０）上記実施形態では、回り刈り等する際に未刈側が左側に位置するように、各構成が設定された例を示したが、未刈側が右側に位置するように設定されていてもよい。この場合は、サイドデバイダ２６や分草杆２７を機体右側に設けると好適である。
【００６４】
（１０）上記実施形態では、左や右という表現を用いたが、上記実施形態とは左右の位置関係が反対であってもよい。
【符号の説明】
【００６５】
２０      ：掻き込みリール
３７      ：リールフレーム
３９      ：支持バー
４０      ：タイン
４０Ａ    ：先端部分
４０Ｂ    ：被取付部
４１      ：ハンプカバー（「カバー」）
４３      ：支持部分
４５      ：バネ部
４７      ：貫通孔
５０      ：第一バー
５１      ：第二バー
５６      ：切れ目
【図１】
2014180226.tif 000003
【図２】
2014180226.tif 000004
【図３】
2014180226.tif 000005
【図４】
2014180226.tif 000006
【図５】
2014180226.tif 000007
【図６】
2014180226.tif 000008
【図７】
2014180226.tif 000009
【図８】
2014180226.tif 000010
【図９】
2014180226.tif 000011
【図１０】
2014180226.tif 000012
【図１１】
2014180226.tif 000013